(57)【要約】【課題】比較的安価であり且つ機械的に比較的脆い化粧品に適したアプリケータ付き包装器具を提供する。【解決手段】本発明は、少なくとも１種類の化粧用配合物を塗布するアプリケータ付き包装器具（１）であって、取っ手を構成する本体（２）と、少なくとも１種類の化粧用配合物のブロック（３０）と、化粧用配合物に対して静止していて、この内部に延びる平べったい補剛材（７）とを有し、ブロックは、補剛材の高さの少なくとも何分の一かにわたって延びる自由外面を備え、アプリケータ付き包装器具が、本体に取り付けられるように且つブロックを覆うように構成されたキャップ（３）を更に有する、アプリケータ付き包装器具に関する。【選択図】図１
2009022765.tif 000002
【特許請求の範囲】
【請求項１】
少なくとも１種類の化粧用配合物を塗布するアプリケータ付き包装器具であって、
・取っ手を構成する本体と、
・少なくとも１種類の化粧用配合物のブロックと、
・前記化粧用配合物に対して静止していて、前記化粧用配合物の内部に延びる平べったい補剛材とを有し、前記ブロックは、前記補剛材の高さの少なくとも何分の一かにわたって延びる自由外面を備え、
・本体に取り付けられるように且つ前記ブロックを覆うように構成されたキャップを更に有する、アプリケータ付き包装器具。
【請求項２】
前記本体は、前記キャップから見て遠くに位置するその側部に充填オリフィスを有し、前記器具は、前記充填オリフィス内に取り付けられたストッパを有する、請求項１記載の器具。
【請求項３】
前記補剛材は、複数の穴を有する、請求項１又は２記載の器具。
【請求項４】
前記本体は、その高さの少なくとも何分の一かにわたって長円形である外部断面を備えている、請求項１〜３のうちいずれか一に記載の器具。
【請求項５】
前記補剛材は、前記本体と一体に成形されている、請求項１〜４のうちいずれか一に記載の器具。
【請求項６】
前記ブロックは、２種類の互いに異なる配合物から成る、請求項１〜５のうちいずれか一に記載の器具。
【請求項７】
前記配合物のうちの一方は、着色されており、他方の前記配合物は、光沢を与えるためのものである、請求項６記載の器具。
【請求項８】
前記補剛材は、前記補剛材の長手方向軸線に平行に当初の前記配合物ブロックのベースと前記補剛材の長円との間で測定した高さを備え、該高さは、前記ブロックの前記当初の高さの半分よりも高い、請求項１〜７のうちいずれか一に記載の器具。
【請求項９】
少なくとも１種類の化粧用配合物を塗布するアプリケータ付き包装器具を製造する方法であって、前記アプリケータ付き包装器具が、
・取っ手を構成する本体と、
・少なくとも１種類の化粧用配合物のブロックと、
・前記化粧用配合物に対して静止していて、前記化粧用配合物の内部に延びる平べったい補剛材とを有し、前記ブロックは、前記補剛材の高さの少なくとも何分の一かにわたって延びる自由外面を備え、
・本体に取り付けられるように且つ前記ブロックを覆うように構成されたキャップを更に有する、方法において、
前記キャップが上下逆さまであって前記本体上の定位置にある状態で、少なくとも１種類の配合物を流体の状態で前記本体の前記充填オリフィスを通して注ぎ込み、前記キャップは、前記配合物に冷却中に前記キャップの形状を与えるようモールドとして役立つ、方法。
【請求項１０】
少なくとも１種類の化粧用配合物を塗布するアプリケータ付き包装器具の少なくとも１種類の配合物のブロックを再付形する方法であって、前記アプリケータ付き包装器具が、
・取っ手を構成する本体と、
・少なくとも１種類の化粧用配合物のブロックと、
・前記化粧用配合物に対して静止していて、前記化粧用配合物の内部に延びる平べったい補剛材とを有し、前記ブロックは、前記補剛材の高さの少なくとも何分の一かにわたって延びる自由外面を備え、
・本体に取り付けられるように且つ前記ブロックを覆うように構成されたキャップを更に有する、方法において、
前記キャップを上下逆さまにして前記本体上の定位置に配置するステップと、前記配合物を加熱して該配合物が流体状態になる温度に至らせ、冷却の際に、前記配合物が前記キャップの形状を取るようにするステップとを有する、方法。
【発明の詳細な説明】
【技術分野】
【０００１】
本発明は、化粧用配合物又は化粧品を塗布するアプリケータ付き包装器具に関する。
【背景技術】
【０００２】
唇への塗布用の配合物は、固体の形態を呈している場合があり、この場合、配合物は、一般に、配合物を取っ手として役立つ本体内で上下させることができる機構体内に配置されるスティックの形態で包装される。
【０００３】
かかる器具は、スティックの形状を変更する可能性が限られている。というのは、よりコンパクトな形態を用いる場合と異なり、スティックが長ければ長く、薄ければ薄いほど、スティックが使用中に崩れる恐れがそれだけ一層高くなり、これは、使用の際に所望通りに快適であるとは言えない。
【０００４】
仏国特許第２１６８６２５号明細書は、配合物がステムで支持されたメーキャップ用バトンを開示している。かかる器具は、サンプルを形成するのに適しているが、繰り返し使用には適していない。
【０００５】
仏国特許第２２５９５６０号明細書は、コアによって支持された配合物のリングの形態をした包装用リップスティックを提案している。かかる器具は、工業的製造には支障があることが分かり、しかも、比較的コスト高のままである。
【０００６】
米国特許出願公開第２００６／０２７２６６１号明細書は、配合物がサンプルを作るために支持体上に堆積された器具を開示している。かかるアプリケータにより、平らなフェースを備えた配合物だけを使用することが可能であり、このことは、メーキャップを塗布する精度に悪影響を及ぼす場合がある。
【０００７】
欧州特許第１５９５４７２号明細書は、本体及び固体の状態では本体に対して静止している流動化可能な配合物のブロックを有するアプリケータ付き包装器具を開示しており、配合物のブロックは、塗布に用いられる少なくとも１つの表面を構成するような仕方で本体から外へ突き出る。再付形部材を本体と協働して少なくとも１つのキャビティを構成するような仕方で本体に取り付けるのが良く、配合物は、熱を加えることにより流体になると、かかるキャビティ内で流れることができ、配合物は、これが冷却後にその固体の状態に戻るときにキャビティの形状を保存する。
【０００８】
仏国特許第２５６３７１１号明細書は、ほお紅を塗布するキットを開示しており、このキットは、ほお紅のブロックのベースを取り付ける取付け器具を備えたスタンドを有している。
【０００９】
米国特許第３３３２４２９号明細書は、化粧用配合物を塗布するキットを開示しており、このキットは、取付け要素によって取っ手に固定された化粧用配合物のブロックが収納された容器を有している。
【００１０】
英国特許第２１５８０４３号明細書は、リップスティックを塗布するアプリケータ器具を開示しており、このアプリケータ器具は、化粧用配合物のサンプルを取り付ける円錐形支持体を有している。
【００１１】
米国特許第５０９２７００号明細書は、サンプル採取物品を開示しており、このサンプル採取物品は、この物品に化粧用配合物を充填するための中空本体を有すると共にその端部のうちの一方に円錐形ドームを備え、この円錐形ドームは、穴開けにより４つの開口部を備えており、化粧品は、充填中、かかる開口部を介して流れる。
【００１２】
ケア製品を含む化粧用配合物を包装する新規な仕方であって、実用的であって比較的安価であり、しかも機械的に比較的脆い化粧用配合物、例えば唇をメーキャップするための配合物に適した仕方から恩恵を受ける必要がある。
【００１３】
【特許文献１】仏国特許第２１６８６２５号明細書
【特許文献２】仏国特許第２２５９５６０号明細書
【特許文献３】米国特許出願公開第２００６／０２７２６６１号明細書
【特許文献４】欧州特許第１５９５４７２号明細書
【特許文献５】仏国特許第２５６３７１１号明細書
【特許文献６】米国特許第３３３２４２９号明細書
【特許文献７】英国特許第２１５８０４３号明細書
【特許文献８】米国特許第５０９２７００号明細書
【発明の開示】
【００１４】
本発明の例示の実施形態は、少なくとも１種類の化粧用配合物を塗布するアプリケータ付き包装器具であって、
・取っ手を構成する本体と、
・少なくとも１種類の化粧用配合物のブロックと、
・化粧用配合物に対して静止していて、化粧用配合物の内部に延びる平べったい補剛材とを有し、ブロックは、補剛材の高さの少なくとも何分の一かにわたって延びる自由外面を備え、
・本体に取り付けられるように且つブロックを覆うように構成されたキャップを更に有することを特徴とするアプリケータ付き包装器具に関する。
【００１５】
また、補剛材は、本体に対して静止しているのが良い。
「自由」であると呼ばれる外面は、器具の使用中、被覆壁のどれとも接触状態にない表面を意味するものと理解されたい。
本発明により、保護キャップを取り外す以外どのような制約もなく配合物を塗布することができる。
【００１６】
補剛材は、配合物を機械的に保持するのに寄与し、それにより、処方の観点において新たな可能性の実現が可能であり、特に、かかる補剛材により、使用中に配合物が崩れる恐れ無く、比較的脆い配合物を用いることが可能になる。
【００１７】
本体は、キャップから見て遠くに位置するその側部に充填オリフィスを有するのが良い。
器具は、充填オリフィス内にオプションとして取り外し可能な仕方で取り付けられたストッパを有するのが良い。
補剛材は、有利には、平べったいものであるのが良い。
【００１８】
平べったい形状は、適宜可撓性を補剛材に与えることができる。
【００１９】
補剛材は、有孔状態のものであって良く且つ（或いは）補剛材は、配合物が補剛材に絡みつくようにする凹凸部分を有するのが良い。
補剛材は、配合物を通す複数の穴を有するのが良い。
【００２０】
本体は、その高さの少なくとも何分の一かにわたり、長円形である外部断面を呈するのが良いが、他の形状も本発明の範囲に含まれる。一例を挙げると、本体は、全体として平べったい形状を呈するのが良い。
補剛材は、例えば熱可塑性材料から本体と一体に成形されるのが良い。
【００２１】
補剛材は、補剛材の長手方向軸線に平行に当初の配合物ブロックのベースと補剛材の長円との間で測定した高さを備えるのが良く、該高さは、ブロックの当初の高さの半分よりも高く、好ましくは、６０％以上、より良好には７０％以上、より良好には８０％以上、更により良好には９０％以上である。
【００２２】
補剛材は、その互いに反対側の主要フェースに垂直にフェースの図を観察すると、とりわけ、長方形、正方形、長円形、三角形、円形、特に半円形、多角形の形状のものであるのが良い。
【００２３】
器具は、単一の補剛材を有するのが良い。特に、器具は、例えば器具の本体全体にわたって分布して配置された互いに同一又は異なる形状の多数の補剛材を備える必要はない。器具の本体は、単一の補剛材に固定されるのが良い。
【００２４】
補剛材が多数の穴を有する場合、これら穴は、形状が円形であるのが良く、又、オプションとして規則的な仕方で補剛材全体にわたって分布して配置されるのが良い。
【００２５】
キャップは、器具の他の要素、特に本体とは別個独立であるのが良く、これから取り外し可能であるのが良い。
配合物のブロックは、そのベースに、補剛材の長手方向軸線に垂直な平らな表面を備えるのが良い。
【００２６】
初期形状の配合物のブロックによって覆われた補剛材の部分は、その厚さよりも幅が広いのが良い。具体的に言えば、初期形状の配合物のブロックにより覆われた補剛材の部分の最も広い幅は、そのベースのところでは、補剛材の上述の部分の最も厚い厚さの少なくとも３０倍、良好には少なくとも４０倍、良好には少なくとも５０倍、更に良好には少なくとも６０倍であるのが良い。配合物で覆われた補剛材の上述の部分の厚さは、補剛材に設けられた穴のところを除き、全体を通じて一定であるのが良い。
【００２７】
補剛材は、補剛材の長手方向軸線を通る補剛材の平べったい平面に関して対称であるのが良い。補剛材の外形は、平べったい平面に垂直な中間平面に関して対称であるのが良い。
【００２８】
補剛材が穴を有する場合、穴の全ては、一方の側が、例えば補剛材の平べったい平面に平行な単一の平面内に開口しているのが良い。穴の軸線の全ては、互いに平行であるのが良い。また、これらの軸線は、補剛材の平べったい平面に垂直であるのが良い。穴は全て、補剛材の２つの互いに反対側の主要フェースで開口しているのが良い。補剛材の２つの互いに反対側のフェースは、平らであるのが良い。
【００２９】
２つの隣り合う穴は、穴の全てについて同一である距離だけ互いに間隔を置いて位置するのが良い。
【００３０】
配合物のブロックの厚さは、オプションとして、補剛材全体に沿ってその周り全体について一定であるのが良い。具体的に言えば、配合物のブロックは、特に配合物のブロックがその初期形状にあるとき、補剛材の互いに反対側の主要フェースのところが補剛材の縁部上よりも厚いものであるのが良い。
【００３１】
器具は、円対称である必要はない。
キャップを器具の本体に取り付ける取付けゾーンは、初期形状にある配合物のブロックのベースの初期高さ位置よりも低いところに位置しているのが良い。
【００３２】
キャップは、上下逆さまの位置にある状態では、平らな水平面上に安定した仕方で載るよう構成されているのが良い。これにより、ブロックを再付形するのが容易になる。
【００３３】
変形例では、器具は、キャップとは別個独立のスタンドを有するのが良く、キャップをこのスタンド上に安定した仕方で上下逆さまに載せることができる。
ブロックは、単一の配合物で形成されるのが良く、変形例では、ブロックは、２種類の互いに異なる配合物又はそれ以上の種類の配合物から成っていても良い。
【００３４】
配合物のうちの一方は、着色されているのが良く、他方の配合物は、光沢を与えるためのものであるのが良い。
２種類の配合物は、配合物の中間平面のそれぞれの側に配置されるのが良い。
【００３５】
補剛材は、キャップが本体上の定位置にあるときにキャップと接触状態にある必要はない。変形例として、補剛材は、キャップを本体上の定位置にあるとき、キャップに接触しても良く、それにより、例えば配合物が互いに混ざり合うのを回避することが可能である。
【００３６】
配合物は、唇、皮膚又は角質性繊維への塗布のためのものであるのが良い。
配合物のブロックは、有利には、熱を加えることにより流動化可能であるのが良い。一例を挙げると、配合物は、６０℃以下の溶融温度を有するのが良い。
【００３７】
本発明は又、その観点のうちの別の観点において、キャップが上下逆さまであって本体上の定位置にある状態で、少なくとも１種類の配合物を流体の状態で本体の充填オリフィスを通して注ぎ込み、キャップは、配合物に冷却中にキャップの形状を与えるようモールドとして役立つことを特徴とする製造方法を提供する。
【００３８】
特に、器具の本体を補剛材の長手方向軸線と一致し又はこれに平行な軸線の充填オリフィスを介して充填するのが良い。
【００３９】
本発明は又、上述した器具の少なくとも１種類の配合物のブロックを再付形する方法であって、キャップを上下逆さまにして前記本体上の定位置に配置するステップと、前記配合物を加熱して該配合物が流体状態になる温度に至らせ、冷却の際に、前記配合物が前記キャップの形状を取るようにするステップとを有することを特徴とする方法を提供する。一例を挙げると、器具を電子レンジ内に置くことにより加熱を行うのが良い。
配合物をマイクロ波に当てることにより、殺菌効果が得られる。
【００４０】
本発明は又、メーキャップを角質性物体、特に唇に塗布する方法であって、上述した器具の配合物のブロックの表面をメーキャップされるべき角質性物体に接触させるステップを有する方法を提供する。
【発明を実施するための最良の形態】
【００４１】
本発明は、その非限定的な実施形態に関する以下の詳細な説明を読むと共に添付の図面を参照すると良好に理解できる。
【００４２】
図１〜図１１に示すアプリケータ付き包装器具１は、保護キャップ３を取り付けることができる本体２を有している。
【００４３】
考察対象の実施形態では、本体２は、キャップ３から見て遠くの側に位置していて、ストッパ６によって閉鎖された充填オリフィス５を有している。
器具１は、本体２と一体に成形された長手方向軸線Ｘの内部補剛材７を更に有している。
【００４４】
キャップ３は、種々の仕方で、例えば、摩擦若しくはスナップ嵌合又は更にはキャップの形状が許容する限りねじ締結によって本体２に取り付けられるのが良い。
【００４５】
ストッパ６も又、種々の仕方で、例えば、摩擦若しくはスナップ嵌合又はねじ締結によって本体２に取り付けられるのが良い。
ストッパ６は、オプションとして、取り外し可能であっても良い。
【００４６】
考察対象の実施形態では、ストッパ６は、取り外し可能であり、このストッパは、充填オリフィス５の円筒形表面１０に漏れ止め状態で当接する環状密封リップ９を有している。
【００４７】
一例を挙げると、補剛材７は、例えばその頂縁１４に向かって僅かに減少するのが良く、正面図で見て、図２に示すように実質的に半円形の形状を呈する厚さｅの平べったい形状を備えている。
【００４８】
補剛材の長手方向軸線に平行に配合物の初期ブロック３０のベースと補剛材７の頂縁１４との間で測定した補剛材７の高さＨは、ブロックの初期高さＨ0の半分よりも高く、好ましくは、６０％以上、良好には７０％以上、良好には８０％以上、より良好には９０％以上であるのが良く、即ち、Ｈ≧０．５Ｈ0、Ｈ≧０．６Ｈ0、Ｈ≧０．７Ｈ0、Ｈ≧０．８Ｈ0、又はＨ≧０．９Ｈ0である。
【００４９】
補剛材７の頂縁１４は、配合物ブロック３０のその初期形状におけるそのベースよりもその頂端部の近くに位置するのが良い。
【００５０】
本体２は、キャップ３が本体２の外面と連続して延びることができるようにする段部１６を有するのが良い。
【００５１】
考察対象の実施形態では、本体２は、その高さの少なくとも何分の一かにわたり、例えば図３及び図４で理解できるように、形状が長円形、特に実質的に楕円形である外部断面を備える。
【００５２】
補剛材７は、直径方向反対側の延長部１８を介して本体２に連結されるのが良く、補剛材７は、考察対象の実施形態では本体２の断面の長軸を含む平面に沿って扁平である。
【００５３】
補剛材７は、そのベースのところに、図２に示すように充填オリフィスと位置が符合した凹部２０を有するのが良い。
【００５４】
考察対象の実施形態では、補剛材７は、穴開けされており、補剛材７への配合物Ｐのブロック３０の固着具合を向上させる複数の穴２２を有している。
【００５５】
考察対象の実施形態では、ブロック３０は、キャップ３の内部で本体２の上方に延びるが、ブロック３０が少なくとも器具１を最初に使用する前に本体２の内部に延びることは本発明の範囲から逸脱しない。
配合物Ｐは、穴２２を通過する。
【００５６】
充填オリフィス５は、器具１の長手方向軸線に垂直な同一平面内に位置する底端部４２を備えた本体２のベース４１内に形成されても良く、それにより、ユーザは、器具を平らな水平面上に置くことができる。
【００５７】
一例を挙げると、ベース４１は、特に図３で理解できるように軸線Ｘ回りに円筒形である外面４３を有する。
【００５８】
ブロック３０は、種々の形状のものであって良く、例えば、長軸Ｘ1に沿って細長い長円形断面を有しても良く、軸線Ｘ1に沿うブロック３０の寸法ｄ1は、比ｄ1／ｄ2（ここで、ｄ2は、Ｘ1に垂直な短軸Ｘ2に沿う寸法を表わしている）が、例えば４〜１にあるようなものであり、当然のことながら、このような値の範囲は、本発明を限定するものではない。
【００５９】
ブロック３０は、使用中自由である外面３９を常時備えた状態で、ブロックを使ってこれが無くなるにつれて次第に変化する高さｈにわたって補剛材７を覆っている。
充填オリフィス５を介して配合物Ｐを器具中に注ぎ込むことができ、この場合、ストッパ６は取り外され、キャップは本体２上の定位置にあり、器具１は、上下逆さまである。
【００６０】
キャップ３が定位置にある状態で充填を行うことは、キャップ３への配合物Ｐの付着性がブロック３０を最初にキャップ３から除く際にブロック３０が崩れるのを回避するのに足るほど低い限り、妥当である。
【００６１】
キャップ３は、場合によっては、配合物Ｐの付着性を減少させる材料で作られるのが良く、或いは、同一の効果をもたらす表面処理を施されるのが良い。
【００６２】
変形例では、配合物をモールド内に注ぎ込み、本体２をモールド上に、例えば、シリコーン又はモールドからの取出しがブロック３０を壊すことなく行われることができるようにする任意他の材料で作られたモールド上に、上下逆さまの状態で置く。
【００６３】
配合物Ｐを容易に流動化されるような仕方で処方されるのが良い。これにより、ユーザは、配合物の何分の一かを使った後に、器具１を上下逆さまに置き、キャップが定位置にある状態で配合物Ｐを例えば電子レンジに入れて熱源に当てることにより塗布表面を再付形することができる。
【００６４】
配合物Ｐが流動化されている状態でキャップ３を上下逆さまに保持するため、キャップ３は、図１２に示すように平らな頂部６０を備えるのが良い。
【００６５】
変形例では、図１３に示すように、スタンド６１を用いても良く、このスタンド６１は、器具１をキャップが下向きの位置で垂直に保持するよう構成されている。
【００６６】
塗布表面を再付形することにより、図９〜図１１に示すように、配合物Ｐが使われて次第に無くなっているときにブロック３０は、キャップの内面の形状に引き続き合致するようにすることができる。
【００６７】
図１４に示す変形例では、器具１は、各々が例えばブロック３０の実質的に半分を占める２種類の互いに異なる配合物Ｐ1，Ｐ2から成るブロック３０を有する。
【００６８】
補剛材７は、上述の実施形態の補剛材と同一であるのが良い。変形例では、補剛材７は、その縁６４が配合物Ｐ1，Ｐ2相互間で見えるようにキャップ３まで延びても良い。これにより、穴が設けられる必要のない補剛材７を仕切りとして用いて配合物Ｐ1，Ｐ2が補助モールド内に又はキャップ３の内側に注ぎ込まれているときに配合物Ｐ1，Ｐ2が互いに混ざり合うのを回避することが可能である。
【００６９】
一例を挙げると、配合物のうちの一方Ｐ1は、着色のための配合物であり、他方の配合物Ｐ2は、光沢を与えるためのものであり、これら２種類の配合物は、例えば次々に塗布されるのに適している。
【００７０】
本発明は、上述の実施形態に限定されることはない。
具体的に言えば、穴が設けられていない凸部を備えた補剛材７を形成して配合物Ｐが補剛材に絡みつくことができるようにすることが可能である。
必要ならば、ユーザが配合物を器具内に注ぎ込むことができ、配合物は、例えば、所望の結果の関数としてユーザにより選択された割合で混合された１種類又は２種類以上の成分から作られる。
【００７１】
図１５に示すように、器具は、例えばストッパとしての役目を果たすアプリケータ１００を有するのが良く、アプリケータ１００は、使用されていないときに本体２内に収納されるアプリケータ部材１０１を有する。
【００７２】
一例を挙げると、アプリケータ部材１０１は、仕上げ作業を行うために使用でき、かかるアプリケータ部材は、とりわけ、フェルトチップ、フロック加工エンドピース、塗料ばけ、フォーム、ブラシ又は櫛を含むのが良い。変形例では、アプリケータ部材１０１は、例えばアウトラインを引き又は追加の光学的効果を与えるためにキャップ３内に入れられた配合物とは異なる配合物を含み又はアプリケータ部材にかかる配合物を装填する。
【００７３】
原文明細書における“comprising a”という表現は、特に断わらない限り、“comprising at least one”という表現と同義であると理解されるべきである。
【図面の簡単な説明】
【００７４】
【図１】本発明に従って製作された器具の一例を示す縦断面図である。
【図２】図１のＩＩ−ＩＩ線矢視縦断面図である。
【図３】本体及び補剛材を単独で示す斜視図である。
【図４】図３の視点とは異なる視点から見た本体及び補剛材の斜視図である。
【図５】閉鎖状態の器具の正面図である。
【図６】閉鎖状態の器具の斜視図である。
【図７】キャップを取り外した後の器具を示す図である。
【図８】キャップを取り外した後の器具の側面図である。
【図９】配合物が使われて無くなっているときの配合物の外観がどのように変化するか及びアプリケータ表面を再付形する際の配合物の外観を示す図である。
【図１０】配合物が使われて無くなっているときの配合物の外観がどのように変化するか及びアプリケータ表面を再付形する際の配合物の外観を示す図である。
【図１１】配合物が使われて無くなっているときの配合物の外観がどのように変化するか及びアプリケータ表面を再付形する際の配合物の外観を示す図である。
【図１２】単独で示されたキャップの変形実施形態の部分断面図である。
【図１３】キャップを上下逆さまに置くためのスタンドの使用方法を示す図である。
【図１４】図８に類似した図であり、変形実施形態を示す図である。
【図１５】変形実施形態の部分縦断面図である。
【符号の説明】
【００７５】
１  アプリケータ付き包装器具
２  本体
３  保護キャップ
５  充填オリフィス
６  ストッパ
７  内部補剛材
９  リップ
１６  段部
３０  配合物のブロック
１０１  アプリケータ部材
【図１】
2009022765.tif 000003
【図２】
2009022765.tif 000004
【図３】
2009022765.tif 000005
【図４】
2009022765.tif 000006
【図５】
2009022765.tif 000007
【図６】
2009022765.tif 000008
【図７】
2009022765.tif 000009
【図８】
2009022765.tif 000010
【図９】
2009022765.tif 000011
【図１０】
2009022765.tif 000012
【図１１】
2009022765.tif 000013
【図１２】
2009022765.tif 000014
【図１３】
2009022765.tif 000015
【図１４】
2009022765.tif 000016
【図１５】
2009022765.tif 000017
【外国語明細書】
2009022765.tif 000018
2009022765.tif 000019
2009022765.tif 000020
2009022765.tif 000021
2009022765.tif 000022
2009022765.tif 000023
2009022765.tif 000024
2009022765.tif 000025
2009022765.tif 000026
2009022765.tif 000027
2009022765.tif 000028
2009022765.tif 000029
2009022765.tif 000030
2009022765.tif 000031
2009022765.tif 000032
2009022765.tif 000033
2009022765.tif 000034
2009022765.tif 000035
2009022765.tif 000036
2009022765.tif 000037
2009022765.tif 000038
2009022765.tif 000039
2009022765.tif 000040